(57)【要約】【課題】エッジ効果を勘案し、トナー消費量を誤差なく正確、精密に求める。【解決手段】画像形成装置は、トナー収容体と、静電潜像をトナーで現像する画像形成部と、画像データのラインでの、トナーをのせるドットの幅である印字ドット幅をカウントするカウント部と、印字ドット幅に対する係数であって、印字ドット幅が広いほど値が小さくなるように定められた複数の重み付け係数を記憶する記憶部と、カウント部でカウントされたそれぞれの印字ドット幅の値に、１つの印字ドットあたりのトナー消費量である単位消費量と、印字ドット幅に応じた重み付け係数を乗じトナー消費量を演算する演算部と、を有する。【選択図】図９
2012053122.tif 000002
【特許請求の範囲】
【請求項１】
トナーを収容し補給するトナー収容体と、
画像データにあわせて像担持体に静電潜像を形成し、静電潜像をトナーで現像する画像形成部と、
画像データのラインでの、トナーをのせるドットの幅である印字ドット幅をカウントするカウント部と、
前記印字ドット幅に対する係数であって、前記印字ドット幅が広いほど値が小さくなるように定められた複数の重み付け係数を記憶する記憶部と、
前記カウント部でカウントされたそれぞれの前記印字ドット幅の値に、１つの印字ドットあたりのトナー消費量である単位消費量と、前記印字ドット幅に応じた前記重み付け係数を乗じトナー消費量を演算する演算部と、を有することを特徴とする画像形成装置。
【請求項２】
前記ラインは、画像データにおける主走査方向又は副走査方向のラインであることを特徴とする請求項１記載の画像形成装置。
【請求項３】
前記ラインは、画像データにおける主走査方向及び副走査方向のラインであり、
前記演算部は、１ページの画像データに含まれる全ての主走査方向の前記ラインについて、トナー消費量をそれぞれ足し合わせて１ページ分の第１トナー消費量を求めるとともに、１ページの画像データに含まれる全ての副走査方向の前記ラインについて、トナー消費量をそれぞれ足し合わせて１ページ分の第２トナー消費量を求め、前記第１トナー消費量と前記トナー消費量を予め定められた割合で足し合わせ、１ページ分のトナー消費量を求めることを特徴とする請求項１記載の画像形成装置。
【請求項４】
トナー残量を表示する表示部と、
前記演算部が求めたトナー消費量に基づいて前記トナー残量を演算する残量演算部を有し、
前記表示部は、前記残量演算部の演算結果に基づき残量を表示することを特徴とする請求項１乃至３のいずれか１項に記載の画像形成装置。
【請求項５】
前記表示部は、前記残量演算部の演算結果に基づき、前記トナー残量が予め定められた残量以下となったとき、前記トナー収容体の交換時期を表示することを特徴とする請求項４に記載の画像形成装置。
【発明の詳細な説明】
【技術分野】
【０００１】
本発明は、トナーを用いてトナー像を形成する画像形成装置で、トナー消費量を求める画像形成装置に関する。
【背景技術】
【０００２】
画像形成装置には、トナーを用いるものがある。そして、トナーコンテナ等のトナー収容体が画像形成装置に取り付けられ、トナーの消費に伴い、トナー収容体からトナーが補給される。しかし、トナー切れとなれば印刷はできない。又、直ぐにトナー収容体を入手できるとは限らない。そこで、トナー消費量を求め、トナーの満杯量から、トナー消費量を順次引いていきトナー残量を求めることがある。そして、求めたトナー残量に基づき、例えば、トナー残量やトナー収容体の交換時期の表示がなされる。ここで、トナー残量や交換時期を正確に知らせるには、トナー消費量を正確に求めることが必要になる。このトナー消費量を正確に求めるための発明の一例が特許文献１に記載されている。
【０００３】
具体的に、特許文献１には、画像データに対応するパターンの潜像を像担持体に形成してトナーで現像する電子写真方式の画像形成装置であり、画像データに対応するパターンの注目エリア内の作像ドット数を画像データから求めるドット数取得手段、画像データに対応するパターンの注目エリア内の作像ドットの主走査方向でのエッジ数を当該画像データから求めるエッジ数取得手段、単位エリア内の作像ドット数とエッジ数の比で決まる値に対応付けて該単位エリア当たりのトナー消費量を保持しているルックアップテーブルＡと、ルックアップテーブルＡを参照して注目エリア内の当該画像データに対応するパターンのトナー消費量を求める消費量演算手段と、を有する画像形成装置が記載されている。この構成により、主走査方向のエッジに起因するトナー消費量の増加量を考慮して、画像データからトナー消費量を求めようとする（特許文献１：段落［００１０］等参照）。
【先行技術文献】
【特許文献】
【０００４】
【特許文献１】特開２００３−１２２２０５号公報
【発明の概要】
【発明が解決しようとする課題】
【０００５】
トナー消費量を正確に演算するには、単に、画像データでのトナーをのせる印字ドットをカウントするだけでは足りず、画像でのエッジ効果を考慮する必要がある。そこで、図１３及び図１４に基づき、エッジ効果を説明する。図１３は、印字ドット幅に対するトナー消費量のエッジ効果を説明するための説明図である。図１４は、印字ドット幅に対する１ドットあたりのトナー消費量の一例を示すグラフである。
【０００６】
まず、図１３の各図において網掛けで示す部分は、像担持体（例えば、感光体ドラム）で露光されトナーがのせられる部分である。具体的に、図１３の（ａ）の印字ドット幅に対し、（ｂ）は２倍の印字ドット幅であり、（ｃ）は４倍の印字ドット幅である。又、黒の塗り潰し部分はトナーを示す。
【０００７】
図１３の各図では、いずれも合計の印字ドット数は同じである。しかし、印字ドットのエッジ部分（印字と非印字の境界部分）では、多くのトナーがのる傾向が確認されている（エッジ効果）。一方で、図１３（ｃ）に示すように、エッジから離れた区間では、エッジ地点ほどトナーがのらない。そのため、印字ドット幅が広いほど、１ドットの現像に用いられるトナーは少なくなる傾向を示す。反対に、エッジ効果によって、印字ドット幅が狭いほど１ドットあたりのトナー消費量は増える傾向を示す。
【０００８】
このドット幅に対する１ドット当たりのトナー消費量（総トナー消費量／印字ドット幅）の一例を示すグラフが図１４である。図１４に示すように、印字ドット幅が広くなれば１ドット当たりのトナー消費量は次第に少なくなり、印字ドット幅がある幅を超えると、１ドット当たりのトナー消費量はほぼ落ち着く。
【０００９】
特許文献１記載の発明では、エッジ効果を考慮しエッジ数をカウントする。そして、ドット数とエッジ数の比に基づきトナー消費量を計算する。しかし、エッジ数は、注目エリア内で計算されるので、異なるドット幅が組み合わされていても同じドット数、エッジ数であればトナー消費量は同じと計算される。この点につき図１５を用いて説明する。図１５（ａ）、（ｂ）は、同ドット数でトナー消費量が異なる例を示すための説明図である。
【００１０】
図１５（ａ）は、印字ドット幅は、１０ドットずつで合計５０ドットである。又、数字で示すように、エッジは合計１０個である。一方、図１５（ｂ）は、印字ドット幅は、合計５０ドット、エッジは合計１０個であるが、印字ドット幅は、それぞれ、３ドット、２５ドット、７ドット、５ドット、１０ドットである。
【００１１】
そして、エッジ効果の影響を考えると、図１５（ａ）の場合と、図１５（ｂ）の場合とでは、同じトナー消費量とはいえない。しかし、特許文献１記載の発明では、ドット数と注目エリア内のエッジ数の比に基づきトナー消費量を計算し、図１５（ａ）の場合と、図１５（ｂ）の場合では、同じトナー消費量と計算される。そのため、トナー消費量を求めるに当たり、特許文献１記載の発明でも誤差があり、技術的に不十分である。即ち、正確にトナー消費量を求めるという点で問題がある。
【００１２】
本発明は、上記従来技術の問題点に鑑みてなされたものであり、エッジ効果を勘案し、トナー消費量を誤差なく正確、精密に求めることを課題とする。
【課題を解決するための手段】
【００１３】
上記課題解決のため、請求項１に係る画像形成装置は、トナーを収容し補給するトナー収容体と、画像データにあわせて像担持体に静電潜像を形成し、静電潜像をトナーで現像する画像形成部と、画像データのラインでの、トナーをのせるドットの幅である印字ドット幅をカウントするカウント部と、前記印字ドット幅に対する係数であって、前記印字ドット幅が広いほど値が小さくなるように定められた複数の重み付け係数を記憶する記憶部と、前記カウント部でカウントされたそれぞれの前記印字ドット幅の値に、１つの印字ドットあたりのトナー消費量である単位消費量と、前記印字ドット幅に応じた前記重み付け係数を乗じトナー消費量を演算する演算部と、を有することとした。
【００１４】
この構成によれば、演算部は、カウント部でカウントされたそれぞれの印字ドット幅の値に、１つの印字ドットあたりのトナー消費量である単位消費量と、印字ドット幅に応じた重み付け係数を乗じトナー消費量を演算する。これにより、画像データの全ての印字ドットについて、印字ドットの連続数（印字ドット幅）を１つ１つカウントしたうえで、トナー消費量を求めることができる。従って、画像データ内の全ての印字ドットにつき、領域単位ではなく、１つ１つの印字ドット幅についてエッジ効果を勘案してトナー消費量を求めるので、正確、精密にトナー消費量を求めることができる。
【００１５】
又、請求項２に係る発明は、請求項１の発明において、前記ラインは、画像データにおける主走査方向又は副走査方向のラインであることとした。
【００１６】
この構成によれば、ラインは、画像データにおける主走査方向又は副走査方向のラインとされる。これにより、カウント部は、主走査方向又は副走査方向について印字ドット幅をカウントし、演算部は、トナー消費量を演算する。従って、主走査方向又は副走査方向のいずれかの方向について１つ１つの印字ドット幅についてエッジ効果を勘案してトナー消費量を求めることができ、正確、精密にトナー消費量を求めることができる。
【００１７】
又、請求項３に係る発明は、請求項１の発明において、前記ラインは、画像データにおける主走査方向及び副走査方向のラインであり、前記演算部は、１ページの画像データに含まれる全ての主走査方向の前記ラインについて、トナー消費量をそれぞれ足し合わせて１ページ分の第１トナー消費量を求めるとともに、１ページの画像データに含まれる全ての副走査方向の前記ラインについて、トナー消費量をそれぞれ足し合わせて１ページ分の第２トナー消費量を求め、前記第１トナー消費量と前記トナー消費量を予め定められた割合で足し合わせ、１ページ分のトナー消費量を求めることとした。
【００１８】
この構成によれば、ラインは、画像データにおける主走査方向及び副走査方向のラインであり、演算部は、主走査方向について第１トナー消費量を求めるとともに、副走査方向について第２トナー消費量を求め、第１トナー消費量とトナー消費量を予め定められた割合で足し合わせ、１ページ分のトナー消費量を求める。これにより、主走査方向と副走査方向でのエッジ効果を勘案し１ページ当たりのトナー消費量を求めることができる。尚、予め定められた割合は、画像形成装置の特性、傾向にあわせ任意に定めることができるものであり、例えば、実験で得られたデータに基づき定めることができる。
【００１９】
又、請求項４に係る発明は、請求項１乃至３の発明において、トナー残量を表示する表示部と前記演算部が求めたトナー消費量に基づいて前記トナー残量を演算する残量演算部を有し、前記表示部は、前記残量演算部の演算結果に基づき残量を表示することとした。
【００２０】
この構成によれば、表示部は、残量演算部が演算結果に基づき残量を表示する。これにより、正確に求められたトナー消費量に基づいてトナーの残量表示を行うことができる。従って、正確な残量を使用者に伝えることができる。又、使用者にとって正確な情報が表示されるので、使いやすい画像形成装置を提供することができる。
【００２１】
又、請求項５に係る発明は、請求項４の発明において、前記表示部は、前記残量演算部の演算結果に基づき、前記トナー残量が予め定められた残量以下となったとき、前記トナー収容体の交換時期を表示することとした。
【００２２】
この構成によれば、表示部は、残量演算部の演算結果に基づき、トナー残量が予め定められた残量以下となったとき、トナー収容体の交換時期を表示する。これにより、正確に求められたトナー消費量に基づいてトナーの残量表示を行うことができる。従って、正確な残量を使用者に伝えることができる。又、使用者にとって正確な情報が表示されるので、使いやすい画像形成装置を提供することができる。
【発明の効果】
【００２３】
上述したように、本発明によれば、エッジ効果を勘案し、トナー消費量を誤差なく正確、精密に求めることができる。さらに、正確に求めたトナー消費量に基づき、正確にトナー残量やトナー収容体の交換時期の報知を行う画像形成装置を提供することができる。
【図面の簡単な説明】
【００２４】
【図１】第１の実施形態に係る複合機の一例を示す模型的正面断面図である。
【図２】第１の実施形態の複合機のハードウェア構成の一例を示すブロック図である。
【図３】第１の実施形態に係る複合機の画像データの流れの一例を示すブロックである。
【図４】第１の実施形態に係るカウント部の印字ドット幅のカウントの一例を示す説明図である。
【図５】（ａ）、（ｂ）は、第１の実施形態に係るカウント部のカウントの一例を示す説明図である。
【図６】第１の実施形態に係る複合機のトナー消費量の演算に用いる重み付けテーブルの一例を示す説明図である。
【図７】第１の実施形態に係る複合機のトナー残量表示画面の一例を示す説明図である。
【図８】第１の実施形態に係る複合機のトナー残量表示画面の一例を示す説明図である。
【図９】第１の実施形態に係る複合機でのトナー消費量の演算制御の一例を示すフローチャートである。
【図１０】第２の実施形態に係るカウント部の印字ドット幅のカウントの一例を示す説明図である。
【図１１】第２の実施形態に係る複合機でのトナー消費量の演算制御の一例を示すフローチャートである。
【図１２】第３の実施形態に係る複合機でのトナー消費量の演算制御の一例を示すフローチャートである。
【図１３】印字ドット幅に対するトナー消費量のエッジ効果の説明図である。
【図１４】印字ドット幅に対する１ドットあたりのトナー消費量の一例を示すグラフである。
【図１５】（ａ）、（ｂ）は、同ドット数でトナー消費量が異なる例を示すための説明図である。
【発明を実施するための形態】
【００２５】
以下、本発明の第１の実施形態を図１〜図９を用いて説明する。尚、本実施形態では、複合機１００（画像形成装置に相当）を例に挙げて説明する。但し、本実施の形態に記載されている構成、配置等の各要素は、発明の範囲を限定するものではなく単なる説明例にすぎない。
【００２６】
（画像形成装置の概略）
まず、図１に基づき、第１の実施形態に係る複合機１００の概略を説明する。図１は本発明の第１の実施形態に係る複合機１００の一例を示す模型的正面断面図である。
【００２７】
図１に示すように、本実施形態の複合機１００は、最上部に原稿カバー１０１を有し、複合機１００本体には、操作パネル１、画像読取部２、給紙部３、搬送路４、画像形成部５、定着部６等が設けられる。
【００２８】
まず、図１に破線で示すように、操作パネル１は、複合機１００の正面上方に設けられる。そして、操作パネル１は、複合機１００の状態や各種メッセージを表示する液晶表示部１１（表示部に相当）を備える。例えば、液晶表示部１１は、トナー残量や、トナーコンテナ７（トナー収容体に相当）の交換時期が近い旨の表示を行える。液晶表示部１１は、機能の選択、設定や文字入力等を行うためのキーを１又は複数表示できる。又、液晶表示部１１の上面に透明なタッチパネル部１２（例えば、抵抗膜方式）が設けられる。タッチパネル部１２は、液晶表示部１１で押下された部分の位置、座標を検出する。又、操作パネル１には、コピー等の各種機能の実行開始を指示するためのスタートキー１３等、各種のハードキーも設けられる。
【００２９】
原稿カバー１０１は、図１の紙面奥行き方向に支点を有し、紙面上下方向に開閉可能である。原稿カバー１０１は、原稿の複写時、載置読取用コンタクトガラス２２に載置された原稿を押さえる。画像読取部２は、原稿を読み取り、原稿の画像データを形成する。又、画像読取部２内には露光ランプ、ミラー、レンズ、イメージセンサ（例えば、ＣＣＤ）等の光学系部材（不図示）が設けられる。尚、原稿カバー１０１に変えて、載原稿を１枚ずつ、自動的、連続的に、画像読取部２の読み取り位置（送り読取用コンタクトガラス２３）に向けて搬送する原稿搬送装置を設けてもよい。
【００３０】
そして、これらの光学系部材を用い、載置読取用コンタクトガラス２２に載置される原稿に光を照射し、その原稿の反射光を受けたイメージセンサの各画素の出力値をＡ／Ｄ変換し、画像データが生成される。複合機１００は、読み取りにより得られた画像データに基づき印刷を行うことができる（コピー機能）。
【００３１】
給紙部３は、複数の用紙（例えば、コピー用紙、普通紙、再生紙、厚紙、ＯＨＰシート等の各種シート）を収容し、１枚ずつ搬送路４に送り込む。給紙部３は、収納用紙が載置されるカセット３１を含む（図１で上方のものに３１Ａ、下方のものに３１Ｂの符号を付す）。又、カセット３１から搬送路４に送り出すため回転駆動する給紙ローラ３２が設けられる（図１で上方のものに３２Ａ、下方のものに３２Ｂの符号を付す）。例えば、印刷時には、給紙ローラ３２が回転駆動し、印刷に要する用紙が１枚ずつ搬送路４に送り出される。
【００３２】
搬送路４は、給紙部３から排出トレイ４１まで用紙を搬送する通路である。尚、用紙搬送経路上には画像形成部５、定着部６等が配される。そして、搬送路４には、用紙の案内のためのガイドや、用紙搬送の際に回転駆動する搬送ローラ対４２、４３や、搬送されてくる用紙を画像形成部５の手前で待機させ、トナー像形成のタイミングを合わせて用紙を送り出すレジストローラ対４４等が設けられる。
【００３３】
画像形成部５は、画像データに基づきトナー像を形成し、搬送される用紙にトナー像を転写する。そのため、画像形成部５は、図１中に示す矢印方向に回転駆動可能に支持された感光体ドラム５１（像担持体に相当）、及び、感光体ドラム５１の周囲に配設された帯電装置５２、露光装置５３、現像装置５４、転写ローラ５５、清掃装置５６等を備える。
【００３４】
トナー像形成及び転写プロセスを説明すると、画像形成部５の略中心に設けられ、所定方向に回転駆動する感光体ドラム５１は、図１において、感光体ドラム５１の右斜め上方に設けられる帯電装置５２により、所定電位に帯電される。図４において、露光装置５３は、帯電装置５２の右側方に設けられ、画像データに基づき、レーザ光をから出力し、感光体ドラム５１表面を走査露光して画像データに応じた静電潜像を形成する。尚、画像データは、画像読取部２で得られた画像データや、ネットワーク等で接続される外部のコンピュータ２００や相手方ＦＡＸ装置３００から送信された画像データ等が用いられる。
【００３５】
そして、図１において、感光体ドラム５１の右斜め下方に設けられる現像装置５４は、感光体ドラム５１に形成された静電潜像にトナーを供給して現像する。感光体ドラム５１の左方に設けられる転写ローラ５５は感光体ドラム５１に圧接し、ニップが形成される。そして、トナー像にあわせタイミングを図られつつ、用紙はニップに進入する。用紙進入時、転写ローラ５５には所定の電圧が印加され、用紙に感光体ドラム５１上のトナー像が転写される。清掃装置５６は、転写後に感光体ドラム５１に残留するトナーを除去する。
【００３６】
ここで、現像装置５４には、トナーを収容し、トナーを現像装置５４に補給するトナーコンテナ７（トナー収容体に相当、トナーキット、トナーカートリッジ等、他の呼ばれ方もある）が取り付けられる。トナーコンテナ７は、例えば、内部に現像装置５４に向けて収容するトナーを吐き出す。あるいは、トナーの自重や、現像装置５４側にトナー吸引装置（不図示）を設けておくことで、トナーコンテナ７から現像装置５４にトナーが補給されてもよい。そして、図１に矢印で示すように、トナーコンテナ７は、現像装置５４にトナーを補給する。そして、現像装置５４は、例えば、攪拌等を行うローラ（便宜上、「攪拌ローラ５４１」という）を２本有する。例えば、攪拌ローラ５４１によって、トナーは帯電する（電圧印可によってトナーを帯電させてもよい）。そして、現像ローラ５４２の表面に帯電されたトナーの層が形成され、トナーが飛翔して静電潜像の現像が行われる。
【００３７】
又、トナーコンテナ７は、取り外し可能であり、トナーコンテナ７が空になると交換される。このトナーコンテナ７の交換時期の報知や、トナーコンテナ７の残量検知のため、本実施形態の複写機では、トナー消費量が求められる（詳細は後述）。
【００３８】
定着部６は、用紙に転写されたトナー像を定着させる。本実施形態における定着部６は、主として発熱体を内蔵する加熱ローラ６１と加圧ローラ６２で構成される。加熱ローラ６１と加圧ローラ６２は圧接しニップを形成する。そして、用紙が、このニップを通過することで、用紙表面のトナーが溶融・加熱され、トナー像が用紙に定着する。トナー定着後の用紙は、排出トレイ４１が受け止める。このようにして、コピー機能、プリンタ機能の使用時、画像形成（印刷）が行われる。
【００３９】
（複合機１００のハードウェア構成）
次に、図２を用いて、本発明の第１の実施形態に係る複合機１００のハードウェア構成の一例を説明する。図２は、本発明の第１の実施形態に係る複合機１００のハードウェア構成の一例を示すブロック図である。
【００４０】
まず、複合機１００本体内には、制御部８（演算部や残量演算部に相当）が設けられる。制御部８は、例えば、操作パネル１、画像読取部２、給紙部３、搬送路４、画像形成部５、定着部６等と接続され、これらの制御を行う。尚、制御部８は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらを１つの制御部８としてまとめた形態を示し、説明する。
【００４１】
制御部８には、例えば、ＣＰＵ８１が設けられる。ＣＰＵ８１は、記憶部８２に格納され、展開される制御プログラムに基づき演算等を行い、複合機１００の各部を制御する。
【００４２】
又、例えば、制御部８には、画像読取部２で原稿を読み取って得られた画像データや通信部８３を介して複合機１００に入力された画像データに対し、画像処理を施す画像処理部９が設けられる。画像処理部９は、専用回路であるＡＳＩＣ９１（演算部に相当）やワークメモリ９３やラインメモリ９５等の素子を含む。画像処理部９が処理した画像データは、例えば、露光装置５３に送信され、感光体ドラム５１の走査・露光に用いられる。
【００４３】
記憶部８２は、制御部８と接続される。記憶部８２は、ＲＯＭ、ＲＡＭ、ＨＤＤ等を組み合わせて構成される。記憶部８２は、複合機１００の制御用プログラム、制御用データ、設定データや、画像読取部２によって読み取られた原稿の画像データ等の各種データを記憶できる。
【００４４】
そして、制御部８は、通信チップ、各種コネクタ、ソケットやＦＡＸモデム等を備えた通信用インターフェイス部（以下、通信部８３）と接続される。通信部８３はネットワークや公衆回線等により複数の外部のコンピュータ２００（例えば、パーソナルコンピュータ）や相手方ＦＡＸ装置３００（図３では、いずれも便宜上１つのみ図示）と接続される。例えば、画像読取部２で得られた画像データを記憶部８２に記憶させることや、相手方ＦＡＸ装置３００に送信することができる（スキャナ機能、ＦＡＸ機能）。又、画像読取部２で得られた画像データをＥメールに添付して外部のコンピュータ２００に送信することもできる。又、外部のコンピュータ２００や相手方ＦＡＸ装置３００から送信され、複合機１００に入力される画像データ（ＦＡＸの送信データやＥメールに添付された画像データ）に基づき印刷、ＦＡＸ送信等を行うこともできる（プリンタ機能、ＦＡＸ機能）。
【００４５】
又、制御部８は、操作パネル１になされた入力を認識し、使用者の設定にあわせてコピー、スキャン、ＦＡＸ送信等が行われるように複合機１００を制御する。例えば、操作パネル１で、使用する給紙部３を指定してコピーする旨が設定されると、制御部８は、指定された給紙部３から給紙を行わせる。又。操作パネル１で指定された送信先に、制御部８は通信部８３から画像データを送信させる。
【００４６】
（印字ドット幅のカウント）
次に、図３及び図４を用い、本発明の第１の実施形態に係る複合機１００での印字ドット幅のカウントの一例を説明する。図３は、本発明の第１の実施形態に係る複合機１００での画像データの流れの一例を示すブロックである。図４は、本発明の第１の実施形態に係るカウント部９６の印字ドット幅のカウントの一例を示す説明図である。
【００４７】
図３に示すように、本実施形態の複合機１００の画像処理部９は、例えば、ＡＳＩＣ９１、メモリ９２、ワークメモリ９３、画像処理回路９４、ラインメモリ９５、カウント部９６を含む。
【００４８】
画像処理部９への画像データの入力先としては、画像読取部２、制御部８、通信部８３等がある。例えば、コピーの際、画像読取部２が原稿を読み取り出力した画像データが、印刷のため画像処理部９に入力される（コピー機能）。又、外部のコンピュータ２００やＦＡＸ装置３００から通信部８３に入力された印刷用のデータが通信部８３から画像処理部９に入力される（プリンタ機能、ＦＡＸ機能）。又、例えば、記憶部８２に記憶される画像データに基づき印刷する場合は、記憶部８２内の画像データは、制御部８を介して画像処理部９に入力される。尚、通信部８３に入力された画像データや画像読取部２が出力した画像データも、制御部８を介した後、画像処理部９に入力されてもよい。
【００４９】
ＡＳＩＣ９１は、画像データの処理のための専用設計ＩＣである。メモリ９２は、ＡＳＩＣ９１の動作用のプログラムや設定データ等を記憶する。ワークメモリ９３は、画像データ処理を行ううえでの作業領域として用いられ、又、一時的に画像データを蓄えるための領域として用いられる。画像処理回路９４は、ＡＳＩＣ９１が実現する画像処理以外の画像処理を行うための回路である。
【００５０】
これら、ＡＳＩＣ９１、ワークメモリ９３、画像処理回路９４を用いることで、例えば、画像処理部９は、濃度変換処理や、拡大・縮小処理や、回転処理等の画像処理を行う。又、感光体ドラム５１の露光と現像では、基本的に感光体ドラム５１に対するドット単位での露光、非露光により静電潜像が形成される。そのため、画像処理部９は、各画素が濃度を示す画素値（例えば、グレースケール８ビットの場合、０〜２５５の間の値）を有する画像データを、露光装置５３でのドット単位での点消灯を示すデータに変換する処理（中間調処理、例えば誤差拡散処理）を行ったうえで、露光装置５３に画像データを引き渡す。そのため、画像処理部９は、ＡＳＩＣ９１、ワークメモリ９３、画像処理回路９４等によって、中間調処理を行える。
【００５１】
一方、画像処理後の画像データを外部（コンピュータ２００やＦＡＸ装置３００）に送信する場合（スキャン機能やＦＡＸ機能）、画像処理部９は、通信部８３に向けて画像データを出力する。又、画像処理後の画像データを複合機１００内に記憶する場合（スキャン機能）、画像処理部９は、記憶部８２に向けて画像データを出力する。
【００５２】
ラインメモリ９５は、例えば、印刷のため、露光装置５３に引き渡すための画像データを記憶する。例えば、ラインメモリ９５は、図４に示すように、主走査方向の１ライン分のデータを格納する。そのため、ラインメモリ９５は、１〜ｎドット分の容量が確保される。例えば、６００ｄｐｉでＡ４縦方向（約３０ｃｍ）を基準とすれば、ｎは７０００程度とされる。
【００５３】
尚、主走査方向とは、露光装置５３が走査・露光を行う方向であり、感光体ドラム５１の軸線方向や、用紙搬送方向に対し垂直な方向と同じ方向である。例えば、図４に示すように、ラインメモリ９５には、パラレル状に主走査方向の１ライン分の画像データが入力される。１ライン分の画像データは複数のビットからなり、例えば「１」は露光装置５３で露光すべきドット（点灯すべきドット、即ち、印字ドット）、を示し、「０」は、露光装置５３で露光しないドット（即ち、非印字ドット）を示す。
【００５４】
本実施形態の複合機１００では、感光体ドラム５１は帯電装置５２により帯電させられ露光したドットは電位（電荷）がキャンセルされ、露光したドットにトナーが付着する。例えば、感光体ドラム５１は正帯電型であり、トナーも正極性に帯電する。これにより、静電潜像が現像される。
【００５５】
そして、図４に示すように、ラインメモリ９５に格納された主走査方向の１ライン分の画像データは、露光装置５３に向けてシリアルデータとして送信される。このシリアルデータを受けて、露光装置５３は、露光装置５３内のレーザ装置の点消灯を行い、感光体ドラム５１を走査・露光する。
【００５６】
カウント部９６は、主走査方向での印字ドットの幅をカウントする。言い換えると、印字ドットが連続する数をカウントする。例えば、カウント部９６は、ラインメモリ９５の出力に接続され、１ライン分の主走査方向のデータを得てカウントを行う。そしてカウント部９６は、カウント結果を例えば、ＡＳＩＣ９１や制御部８に送る。
【００５７】
（トナー消費量の演算）
次に、図５及び図６を用いて、本発明の第１の実施形態に係る複合機１００でのトナー消費量の演算の一例を説明する。図５（ａ）、（ｂ）は、本発明の第１の実施形態に係るカウント部９６のカウントの一例を示す説明図である。図６は、本発明の第１の実施形態に係る複合機１００でのトナー消費量の演算に用いる重み付けテーブルＴ１の一例を示す説明図である。尚、本説明では、総計の印字ドット数が５０ドットであり、エッジ数が１０となる例を説明する。
【００５８】
まず、図５（ａ）、（ｂ）における黒塗りつぶし部分は、印字ドットを示す。本実施形態のカウント部９６は、主走査方向のラインにおいて、図５（ａ）に示すような画像データの場合、印字ドット幅１０ドット×５回とカウントする。又、図５（ｂ）に示すような画像データの場合、印字ドット幅３ドット×１回、印字ドット幅５ドット×１回、印字ドット幅７ドット×１回、印字ドット幅１０ドット×１回、印字ドット幅２５ドット×１回とカウントする。
【００５９】
カウント部９６のカウント結果を示すデータが制御部８に入力され、制御部８（例えば、ＣＰＵ８１）は、カウント結果に基づき、トナー消費量を求める。ここで、制御部８は、例えば、図６に示すような、記憶部８２に記憶される重み付けテーブルＴ１を参照し、トナー消費量を求める。
【００６０】
図６に示すように、重み付けテーブルＴ１には、印字ドット幅にあわせた重み付け係数が含まれる。ここで、重み付け係数は、印字ドット幅が狭いほど大きく、印字ドット幅が広くなるほど小さくなる。この結果、印字ドット幅が狭いほど、トナー消費量は多くなるように演算される。又、印字ドット幅が広いほど、トナー消費量は少なくなるように演算される。尚、本実施形態の複合機１００では、印字ドット幅が１６ドット以上になると、１印字ドット当たりのトナー消費量はほぼ一定となることが経験的、実験的に把握されているので、印字ドット幅が１６ドット以上の場合、重み付け係数を１．０とする。
【００６１】
具体的な、演算の例を挙げて説明する。ここで、１印字ドットあたりの基準となるトナー消費量（単位消費量）をＡとおく。尚、印字ドット幅が１６ドット以上の場合、重み付け係数を１．０とするので、例えば、実験等によって、印字ドット幅が１６ドット以上の場合の１印字ドット当たりのトナー消費量を求め、単位消費量Ａと定める。
【００６２】
そして、制御部８は、１つの印字ドット幅につき、以下の式に基づき演算を行う。
（式）  印字ドット幅×単位消費量Ａ×重み付け係数
【００６３】
例えば、図５（ａ）の場合、カウント部９６は印字ドット幅１０ドット×５回とカウントした。そうすると、図５（ａ）に示す、１０ドットの印字ドット幅の場合、制御部８は、トナー消費量を次のように演算する。
トナー消費量＝１０（印字ドット幅）×単位消費量Ａ×重み付け係数１．３
＝１３Ａ
又、図５（ａ）の場合、印字ドット幅１０ドット×５回なので、制御部８は、図５（ａ）における総トナー消費量を、１３Ａ＋１３Ａ＋１３Ａ＋１３Ａ＋１３Ａ＝６５Ａ、と演算する。
【００６４】
又、例えば、図５（ｂ）の場合で同様の演算をする。制御部８は、印字ドット幅が３ドットの部分のトナー消費量を５．１Ａと演算する。制御部８は、印字ドット幅が５ドットの部分のトナー消費量を７．５Ａと演算する。制御部８は、印字ドット幅が７ドットの部分のトナー消費量を９．１Ａと演算する。制御部８は、印字ドット幅が１０ドットの部分のトナー消費量を１３Ａと演算する。制御部８は、印字ドット幅が２５ドットの部分のトナー消費量を２５Ａと演算する。結果、制御部８は、図５（ｂ）における総トナー消費量を、（５．１＋７．５＋９．１＋１３＋２５）Ａ＝５９．７Ａ、と演算する。
【００６５】
制御部８は、このような主走査方向のラインでの印字ドット幅を一つのグループとしてトナー消費量を演算する。そして、制御部８は、主走査方向のラインでの全てのグループについて、それぞれトナー消費量を演算する。更に、制御部８は１ページの画像データに含まれる主走査方向の各ラインでグループごとのトナー消費量の演算を繰り返し、演算されたトナー消費量を積算することで、１ページを印刷した際のトナー消費量を求める。
【００６６】
このように、本実施形態の複合機１００では、総計の印字ドット数が同じで、エッジ数が同じでも、画像データでの印字ドット幅に合わせ、演算結果が異なる。従って、トナー消費量が正確に求められる。
【００６７】
尚、本説明では、制御部８がトナー消費量の演算を行う例を説明したが、例えば、画像処理部９のメモリ９２に重み付けデータを格納しておき、例えば、ＡＳＩＣ９１がトナー消費量の演算を行ってもよい。この場合、ＡＳＩＣ９１がトナー消費量の演算を行う演算部として機能する。
【００６８】
（トナー残量の演算と表示）
次に、図２、図７、図８を用いて、本発明の第１の実施形態に係る複合機１００でのトナー残量の演算と表示の一例を説明する。図７、図８は、本発明の第１の実施形態に係る複合機１００でのトナー残量表示画面Ｓ１の一例を示す説明図である。
【００６９】
本実施形態の制御部８は、トナー消費量を演算する。そして、制御部８は、例えば、トナー残量が１００％の時のトナー量からトナー消費量を減算することで、トナー残量を演算する。従って、制御部８は、トナーの残量を演算する残量演算部としても機能する。
【００７０】
トナー残量が１００％の時のトナー量は、トナーコンテナ７の容積等によって定まり、予め定められた値である。例えば、トナーコンテナ７の外面のいずれかの部分に、図２に示すように、ＲＦＩＤのタグ７１が取り付けられる。ＲＦＩＤには、トナーコンテナ７のシリアル番号や製造場所等、出所データが格納される。
【００７１】
又、複合機１００には、図２に示すように、トナーコンテナ７のタグ７１を無線にて読み取る読取部７２が設けられる。読取部７２が読み取ったタグ７１内の出所データは、制御部８に転送される。そして、例えば、制御部８は、今まで取り付けられていたトナーコンテナ７と異なる出所データを取得した際、トナーコンテナ７が交換されたと認識する。このとき、トナー残量は、１００％の値にリセットされる。尚、トナーコンテナ７の交換は、光学センサを用いる等、他の方法により検知されてもよい。
【００７２】
例えば、トナー残量は、記憶部８２に記憶される。そして、制御部８は、印刷が行われ、トナーが消費されると、記憶部８２のトナー残量を更新する。例えば、１ページ印刷するごとに、制御部８は、１ページ分のトナー消費量をトナー残量から減算し、減算後のトナー残量を記憶部８２に記憶させる。
【００７３】
又、制御部８は、残量１００％の時のトナー残量に対する現在のトナー残量の比を演算する。これにより、トナー残量が、何％かを把握できる。操作パネル１でトナー残量表示画面Ｓ１を表示させるためのキーが押下されると、制御部８は、図７に示すようなトナー残量表示画面Ｓ１を操作パネル１の液晶表示部１１に表示させる。
【００７４】
図７、図８の例では、トナー残量として、制御部８が演算した比に基づく残量表示が行われる。例えば、トナー残量表示画面Ｓ１では、トナー残量が０〜１００％の間で表示される。具体的には、１０％刻みの１１段階で表示される。例えば、比が０以下となれば、トナー残量が０％と表示され、比が０を越えて１０％未満であれば１０％と表示され、１０％以上２０％未満であれば、２０％と表示される（以下、同様）。これにより、使用者は、トナー残量を把握できる。即ち、本発明の画像形成装置（例えば、複合機１００）は、トナー残量を表示する表示部（液晶表示部１１）と、演算部（制御部８やＡＳＩＣ９１）が求めたトナー消費量に基づいてトナー残量を演算する残量演算部（制御部８）を有し、表示部は、残量演算部の演算結果に基づき残量を表示する。
【００７５】
又、図８に示すように、本実施形態の複合機１００では、残量１００％の時のトナー残量に対する現在のトナー残量の比が１０％未満となると、まもなくトナーコンテナ７の交換が必要になることの注意を喚起するため、制御部８は液晶表示部１１に交換時期表示Ｓ２を行わせる。即ち、本発明の画像形成装置（例えば、複合機１００）は、表示部（液晶表示部１１）は、残量演算部（制御部８）の演算結果に基づき、トナー残量が予め定められた残量以下となったとき、トナー収容体（トナーコンテナ７）の交換時期を表示する。
【００７６】
例えば、図７（ｂ）に示すように、液晶表示部１１は、交換時期表示Ｓ２として「トナーコンテナ交換」といったテキストを表示する。例えば、交換時期表示Ｓ２は、トナー残量表示画面Ｓ１以外の画面（例えば、コピー設定画面等）でも表示されてもよい。又、交換時期表示Ｓ２はテキストではなく、アイコンで表示されてもよい。
【００７７】
（トナー消費量演算制御）
次に、図９に基づき、本発明の第１の実施形態に係る複合機１００でのトナー消費量の演算制御の一例を説明する。図９は、本発明の第１の実施形態に係る複合機１００でのトナー消費量の演算制御の一例を示すフローチャートである。
【００７８】
まず、図９のスタートは、コピーや、コンピュータ２００やＦＡＸ装置３００から送信された画像データに基づく印刷や、記憶部８２に記憶された画像データに基づく印刷等、トナーを消費して印刷を開始する時点である。
【００７９】
そして、露光装置５３に送信される画像データについて、カウント部９６は、主走査方向にのびる先頭の１ライン分の印字ドット幅をカウントする（ステップ♯１１）。その後、カウント部９６から印字ドット幅を示すデータが送信され、制御部８やＡＳＩＣ９１は、印字ドット幅にあわせ、重み付け係数を用い、主走査方向にのびる先頭の１ラインのトナー消費量を演算する（ステップ♯１２）。
【００８０】
そして、次に、カウント部９６は、次の主走査方向のラインの印字ドット幅をカウントする（ステップ♯１３）。そして、制御部８やＡＳＩＣ９１は、印字ドット幅にあわせ、重み付け係数を用い、主走査方向の１ライン分のトナー消費量を演算する（ステップ♯１４）。即ち、本発明の画像形成装置（例えば、複合機１００）は、トナーを収容し補給するトナー収容体（トナーコンテナ７）と、画像データにあわせて像担持体（例えば、感光体ドラム５１）に静電潜像を形成し、静電潜像をトナーで現像する画像形成部５と、画像データのラインでの、トナーをのせるドットの幅である印字ドット幅をカウントするカウント部９６と、印字ドット幅に対する係数であって、印字ドット幅が広いほど値が小さくなるように定められた複数の重み付け係数を記憶する記憶部８２と、カウント部９６でカウントされたそれぞれの印字ドット幅の値に、１つの印字ドットあたりのトナー消費量である単位消費量と、印字ドット幅に応じた重み付け係数を乗じトナー消費量を演算する演算部（制御部８やＡＳＩＣ９１）と、を有する。又、本実施形態では、カウントするラインは、画像データにおける主走査方向のラインである。
【００８１】
次に、制御部８は、１ページの画像データの全ての主走査方向のラインについて、トナー消費量の演算が行われたかを確認する（ステップ♯１５）。もし、トナー消費量の演算が完了していなければ（ステップ♯１５のＮｏ）、制御部８は、画像データの先頭ラインから積算されたトナー消費量に、演算により求めたトナー消費量を加算する（ステップ♯１６）。そして、例えば、ステップ♯１３に戻る。
【００８２】
もし、トナー消費量の演算が完了すれば（ステップ♯１５のＹｅｓ）、制御部８は、記憶部８２に記憶されるトナー残量から１ページ分のトナー消費量を減算し、減算後の値を記憶部８２に記憶させる（ステップ♯１７、トナー残量の更新）。そして、制御部８は、トナー残量が０となったかを確認する（ステップ♯１８）。尚、トナー残量の最低値は０であり、制御部８は、マイナスとなる場合、０とする。もし、トナー残量が０となれば（ステップ♯１８のＹｅｓ）、制御部８は、操作パネル１にトナー切れ表示を行わせる（ステップ♯１９→エンド）。
【００８３】
一方、トナー残量が０でなければ（ステップ♯１８のＮｏ）、制御部８は、印刷ジョブが完了したかを確認する（ステップ♯２０）。言い換えると、全ページの印刷が完了したかを確認する（ステップ♯２０）。もし、印刷ジョブが完了でなければ（ステップ♯２０のＮｏ）、例えば、ステップ♯１１に戻る。一方、印刷ジョブが完了したのであれば（ステップ♯２０のＹｅｓ）、本制御は完了すればよい（エンド）。そして、場合に応じて、トナーの残量表示や交換時期表示Ｓ２が行われる。例えば、１ページごとや印刷ジョブ完了ごとに、表示すべき残量表示や交換時期表示Ｓ２をすべきかを制御部８が確認する。
【００８４】
このようにして、本実施形態の構成によれば、演算部（制御部８やＡＳＩＣ９１）は、カウント部９６でカウントされたそれぞれの印字ドット幅の値に、１つの印字ドットあたりのトナー消費量である単位消費量と、印字ドット幅に応じた重み付け係数を乗じトナー消費量を演算する。これにより、画像データの全ての印字ドットについて、印字ドットの連続数（印字ドット幅）を１つ１つカウントしたうえで、トナー消費量を求めることができる。従って、画像データ内の全ての印字ドットにつき、領域単位ではなく、１つ１つの印字ドット幅についてエッジ効果を勘案してトナー消費量を求めるので、正確、精密にトナー消費量を求めることができる。
【００８５】
又、ラインは、画像データにおける主走査方向のラインとされる。これにより、カウント部９６は、主走査方向について印字ドット幅をカウントし、演算部（制御部８やＡＳＩＣ９１）は、トナー消費量を演算する。従って、主走査方向又は副走査方向のいずれかの方向について１つ１つの印字ドット幅についてエッジ効果を勘案してトナー消費量を求めることができ、正確、精密にトナー消費量を求めることができる。
【００８６】
又、表示部（液晶表示部１１）は、残量演算部（制御部８）が演算結果に基づき残量を表示する。これにより、正確に求められたトナー消費量に基づいてトナーの残量表示を行うことができる。従って、正確な残量を使用者に伝えることができる。又、使用者にとって正確な情報が表示されるので、使いやすい画像形成装置（例えば、複合機１００）を提供することができる。又、表示部は、残量演算部の演算結果に基づき、トナー残量が予め定められた残量以下となったとき、トナー収容体（トナーコンテナ７）の交換時期を表示する。これにより、正確に求められたトナー消費量に基づいてトナーの残量表示を行うことができる。従って、正確な残量を使用者に伝えることができる。又、使用者にとって正確な情報が表示されるので、使いやすい画像形成装置を提供することができる。
【００８７】
（第２の実施形態）
次に、図１０及び図１１に基づき、本発明の第２の実施形態を説明する。図１０は、本発明の第２の実施形態に係るカウント部９６の印字ドット幅のカウントの一例を示す説明図である。図１１は、本発明の第２の実施形態に係る複合機１００でのトナー消費量の演算制御の一例を示すフローチャートである。
【００８８】
第１の実施形態では、主走査方向のラインでの印字ドット幅をカウントする例を示したが、第２の実施形態では、副走査方向のラインでの印字ドット幅をカウントする点で異なる。尚、その他の点については、以下に説明する点を除き、第１の実施形態と同様でよい。そこで、第２の実施形態の説明では、第１の実施形態と共通する部分については、援用するものとし、説明、図示を省略する。
【００８９】
図１０に示すように、本実施形態の複合機１００では、ラインメモリ９５は、２ライン分設けられる。例えば、ラインメモリ９５は、図４に示すように、主走査方向のラインの画像データを１ラインずつ格納する。ラインメモリ９５のうち、１ライン分は、露光装置５３への転送用ラインメモリ９５１であり、その他のラインは、バッファ用ラインメモリ９５２とされる。
【００９０】
そして、ラインメモリ９５のうち、転送用の部分から主走査方向の１ライン分の画像データを露光装置５３に送信し終えると、バッファ用ラインメモリ９５２から転送用ラインメモリ９５１に画像データがシフトされる。そして、バッファ用ラインメモリ９５２に次の主走査方向のラインの画像データが格納される。
【００９１】
ここで、本実施形態では、副走査方向のラインについて印字ドット幅をカウントする。そして、副走査方向とは、露光装置５３が走査・露光を行う方向に垂直な方向であり、感光体ドラム５１の軸線方向に垂直な方向や、用紙搬送方向と同じ方向である。又、図１０に示す例でも「１」は露光装置５３で露光すべきドット（点灯すべきドット、即ち、印字ドット）、を示し、「０」は、露光装置５３で露光しないドット（即ち、非印字ドット）を示す。
【００９２】
そして、図１０に示すように、ラインメモリ９５のうち、転送用ラインメモリ９５１に格納された主走査方向の１ライン分の画像データは、露光装置５３に向けてシリアルデータとして送信される。このシリアルデータを受けて、露光装置５３は、レーザ装置の点消灯を行い、感光体ドラム５１を走査・露光する。
【００９３】
カウント部９６は、副走査方向での印字ドットの幅をカウントする。具体的には、カウント部９６は、ラインメモリ９５の各ドット（ビット）に対しカウントを行う（破線で図示）。例えば、カウント部９６は、ラインメモリ９５の各ドット（ビット）で、バッファ用ラインメモリ９５２に格納された値が１であれば、＋１を積算する。一方、ラインメモリ９５の各ドット（ビット）で、バッファ用ラインメモリ９５２に格納された値が０であれば、カウント部９６は、今まで積算した値を副走査方向の印字ドット幅と定め、積算値を０にリセットする。そして、カウント部９６は、リセットしたドット（ビット）について、リセット前までに積算していた値を副走査方向の印字ドット幅を示すデータとして制御部８やＡＳＩＣ９１に出力する。
【００９４】
尚、例えば、画像処理部９のワークメモリ９３に中間調処理後の画像データを格納し、カウント部９６やＡＳＩＣ９１が画像データの副走査方向の各ラインについて一括して、印字ドット幅をカウントするようにしてもよい。
【００９５】
次に、図１１に基づき、本発明の第２の実施形態に係る複合機１００でのトナー消費量の演算制御の一例を説明する。図１１は、本発明の第２の実施形態に係る複合機１００でのトナー消費量の演算制御の一例を示すフローチャートである。
【００９６】
まず、図１１のスタートは、コピーや、コンピュータ２００やＦＡＸ装置３００から送信された画像データに基づく印刷や、記憶部８２に記憶された画像データに基づく印刷等、トナーを消費して印刷を開始する時点である。
【００９７】
そして、露光装置５３に送信される画像データについて、主走査方向の先頭ラインからカウント部９６は、主走査方向の各ドット（ビット）についてそれぞれ副走査方向の印字ドット幅をカウントと出力を行う。制御部８やＡＳＩＣ９１は、カウント部９６から出力されたそれぞれの印字ドット幅に対し、図６に示した重み付け係数を用い、トナー消費量を演算し、積算する（ステップ♯２１）。即ち、カウントするラインは、画像データにおける副走査方向のラインである。尚、印字ドット幅に対するトナー消費量の演算は、第１の実施形態と同様でよい。又、ステップ♯２１は、画像処理部９から露光装置５３への１ページ分の画像データ送信が完了するまでつづけられる。
【００９８】
このステップ♯２１によって、１ページ分の画像データの印刷でのトナー消費量が求められる。次に、制御部８は、記憶部８２に記憶されるトナー残量から１ページ分のトナー消費量を減算し、減算後の値を記憶部８２に記憶させる（ステップ♯２２、トナー残量の更新）。そして、ステップ♯２３〜ステップ♯２５は、第１の実施形態でのステップ♯１８〜２０と同様であるので（図９参照）、援用するものとして説明を省略する。
【００９９】
このようにして、本実施形態の構成によれば、第１の実施形態と同様の効果が得られる。又、ラインは、画像データにおける副走査方向のラインとされる。これにより、カウント部９６は、副走査方向について印字ドット幅をカウントし、演算部（制御部８やＡＳＩＣ９１）は、トナー消費量を演算する。従って、主走査方向又は副走査方向のいずれかの方向について１つ１つの印字ドット幅についてエッジ効果を勘案してトナー消費量を求めることができ、正確、精密にトナー消費量を求めることができる。
【０１００】
（第３の実施形態）
次に、図１２に基づき、本発明の第３の実施形態を説明する。図１２は、本発明の第３の実施形態に係る複合機１００でのトナー消費量の演算制御の一例を示すフローチャートである。
【０１０１】
第１の実施形態では、主走査方向のラインでの印字ドット幅をカウントし、トナー消費量を求める例を示した。第２の実施形態では、副走査方向のラインでの印字ドット幅をカウントし、トナー消費量を求める例を示した。
【０１０２】
そして、第３の実施形態では、主走査方向のラインでの印字ドット幅をカウントし、１ページ分の画像データの印刷でのトナー消費量（第１トナー消費量）を求め、副走査方向のラインでの印字ドット幅をカウントし、１ページ分の画像データの印刷でのトナー消費量（第２トナー消費量）を求める。そして、第３の実施形態では、第１トナー消費量と第２トナー消費量に基づき、最終的な１ページ分の画像データの印刷でのトナー消費量を求める点で異なる。
【０１０３】
尚、第１トナー消費量の求め方は、第１の実施形態と同様でよく、第２トナー消費量の求め方は、第２の実施形態と同様でよい。又、以下に説明する点を除き、第１の実施形態や第２の実施形態と複合機１００の構成は同様でよい。そこで、第３の実施形態の説明では、第１の実施形態や第２の実施形態と共通する部分については、援用するものとし、説明、図示を省略する。
【０１０４】
次に、図１２に基づき、具体的に、本発明の第３の実施形態に係る複合機１００でのトナー消費量の演算制御の一例を説明する。
【０１０５】
まず、図１２のスタートも、コピーや、コンピュータ２００やＦＡＸ装置３００から送信された画像データに基づく印刷や、記憶部８２に記憶された画像データに基づく印刷等、トナーを消費して印刷を開始する時点である。
【０１０６】
そして、１ページの画像データについて、カウント部９６は、主走査方向の各ラインでの印字ドット幅をカウントし、制御部８やＡＳＩＣ９１は、第１トナー消費量を求めるとともに、カウント部９６は、副走査方向の各ラインでの印字ドット幅をカウントし、制御部８やＡＳＩＣ９１は、第２トナー消費量を求める（ステップ♯３１）。
【０１０７】
そして、制御部８やＡＳＩＣ９１は、ページ単位で求められた第１トナー消費量と第２トナー消費量を予め定められた割合で足し合わせ、最終的なトナー消費量を確定する（ステップ♯３２）。即ち、ラインは、画像データにおける主走査方向及び副走査方向のラインであり、演算部（制御部８やＡＳＩＣ９１）は、１ページの画像データに含まれる全ての主走査方向のラインについて、トナー消費量をそれぞれ足し合わせて１ページ分の第１トナー消費量を求めるとともに、１ページの画像データに含まれる全ての副走査方向のラインについて、トナー消費量をそれぞれ足し合わせて１ページ分の第２トナー消費量を求め、第１トナー消費量とトナー消費量を予め定められた割合で足し合わせ、１ページ分のトナー消費量を求める。
【０１０８】
ここで、足し合わせにおける割合は任意に定めることができる。例えば、第１トナー消費量と第２トナー消費量を足し合わせた値を２で割れば（平均をとれば）、第１トナー消費量と第２トナー消費量の割合は、０．５：０．５となる。例えば、割合は、足し合わせると１となるように定めてもよい。例えば、０．６：０．４や、０．４：０．６や、０．７：０．３など任意に定めることができる。例えば、主走査方向での印字ドット幅と副走査方向での印字ドット幅とでは、いずれの方がトナー消費量との関連性が強いかは、画像形成装置により異なるので、実験等により、方向とトナー消費量との関連性を確認したうえで割合を印字ドット幅を定めればよい。
【０１０９】
予め定められた割合は、例えば、記憶部８２が記憶しておく。そして、制御部８やＡＳＩＣ９１は、記憶部８２が記憶する割合に応じて、第１トナー消費量としての値と第２トナー消費量としての値に対し演算を行い、足し合わせて、最終的な１ページ当たりのトナー消費量を確定する。
【０１１０】
尚、ステップ♯３３〜ステップ♯３６は、第１の実施形態でのステップ♯１７〜２０と同様であるので（図９参照）、援用するものとして説明を省略する。
【０１１１】
このようにして、本実施形態の構成によれば、ラインは、画像データにおける主走査方向及び副走査方向のラインであり、演算部（制御部８やＡＳＩＣ９１）は、主走査方向について第１トナー消費量を求めるとともに、副走査方向について第２トナー消費量を求め、第１トナー消費量とトナー消費量を予め定められた割合で足し合わせ、１ページ分のトナー消費量を求める。これにより、主走査方向と副走査方向でのエッジ効果を勘案し１ページ当たりのトナー消費量を求めることができる。尚、予め定められた割合は、画像形成装置（例えば、複合機１００）の特性、傾向にあわせ任意に定めることができるものであり、例えば、実験で得られたデータに基づき定められる。
【０１１２】
以上、本発明の実施形態を説明したが、本発明の範囲はこれに限定されるものではなく、発明の主旨を逸脱しない範囲で種々の変更を加えて実施することができる。
【産業上の使用可能性】
【０１１３】
本発明は、トナーを用いて画像を形成する画像形成装置に使用可能である。
【符号の説明】
【０１１４】
１      操作パネル                      １１    液晶表示部（表示部）
５      画像形成部                      ５１    感光体ドラム（像担持体）
７      トナーコンテナ（トナー収容体）  ８      制御部（演算部、残量演算部）
８２    記憶部                          ９      画像処理部
９１    ＡＳＩＣ（演算部）              ９６    カウント部
１００  複合機（画像形成装置）          Ｓ１    トナー残量表示画面
【図１】
2012053122.tif 000003
【図２】
2012053122.tif 000004
【図３】
2012053122.tif 000005
【図４】
2012053122.tif 000006
【図５】
2012053122.tif 000007
【図６】
2012053122.tif 000008
【図７】
2012053122.tif 000009
【図８】
2012053122.tif 000010
【図９】
2012053122.tif 000011
【図１０】
2012053122.tif 000012
【図１１】
2012053122.tif 000013
【図１２】
2012053122.tif 000014
【図１３】
2012053122.tif 000015
【図１４】
2012053122.tif 000016
【図１５】
2012053122.tif 000017